(57)【要約】      （修正有）【課題】洗浄剤の適用と蒸気の適用を分離した、洗浄能力の高い蒸気式清掃機器を提供する。【解決手段】床と接触する蒸気透過性清掃パッド２６を取り付けるように構成された清掃ヘッド部１４と、清掃ヘッド部を床の上で操作するために清掃ヘッド部に取り付けられた細長い機器本体１２と、第１液体を床に適用するように構成された液体アプリケータと、第２液体から蒸気を発生させる蒸気源と、蒸気源と連通し且つ清掃パッドを通して床に蒸気を適用するように構成され液体アプリケータから分離している蒸気出口とを含む。【選択図】図１
0003204586.tif 000002
【実用新案登録請求の範囲】
【請求項１】
床を清掃するための蒸気式清掃機器であって、
床と接触する蒸気透過性清掃パッドを取り付けるように構成された清掃ヘッド部と、
前記清掃ヘッド部を前記床の上で操作するために前記清掃ヘッド部に取り付けられた細長い機器本体と、
第１液体を前記床に適用するように構成された液体アプリケータと、
第２液体から蒸気を発生させる蒸気源と、
前記蒸気源と連通し且つ前記清掃パッドを通して前記床に蒸気を適用するように構成された蒸気出口であって、前記液体アプリケータから分離している蒸気出口と
を含む、蒸気式清掃機器。
【請求項２】
前記蒸気出口および前記清掃ヘッド部は、前記清掃パッドが前記清掃ヘッド部に取り付けられているとき、前記蒸気出口から放出される蒸気が前記清掃パッドを透過して前記床に到達するように構成される、請求項１に記載の蒸気式清掃機器。
【請求項３】
前記清掃パッドをさらに含む、請求項１に記載の蒸気式清掃機器。
【請求項４】
前記清掃パッドが洗濯可能且つ再利用可能なパッドである、請求項３に記載の蒸気式清掃機器。
【請求項５】
前記第１液体を保持する第１貯蔵器および
前記第２液体を保持する第２貯蔵器をさらに含み、
前記液体アプリケータが前記第１液体を受け取るために前記第１貯蔵器と連通し、
前記蒸気源が前記第２液体を受け取るために前記第２貯蔵器と連通する、請求項１に記載の蒸気式清掃機器。
【請求項６】
前記液体アプリケータが吹付ノズルを含む、請求項５に記載の蒸気式清掃機器。
【請求項７】
前記吹付ノズルが前記清掃ヘッド部に配置される、請求項６に記載の蒸気式清掃機器。
【請求項８】
前記第１貯蔵器を前記液体アプリケータに接続する第１導管および
前記蒸気源を前記蒸気出口貯蔵器に接続する第２導管をさらに含み、
前記第２導管を通って流れる前記蒸気からの熱が、前記第１導管中に存在する前記第１液体を加熱する、請求項５に記載の蒸気式清掃機器。
【請求項９】
前記第１導管および前記第２導管が同じ導管ジャケット内に含まれる、請求項８に記載の蒸気式清掃機器。
【請求項１０】
前記機器本体を前記清掃ヘッド部に接続するコネクタをさらに含み、前記第１および第２導管が前記機器本体から前記清掃ヘッド部まで前記コネクタを通って延びる、請求項９に記載の蒸気式清掃機器。
【請求項１１】
前記機器が、前記第２液体を前記床に適用することなく蒸気を前記床に適用するように動作可能であり、
前記機器が、蒸気を前記床に適用することなく前記第２液体を前記床に適用するように動作可能である、請求項１に記載の蒸気式清掃機器。
【請求項１２】
前記第２貯蔵器が前記第２液体を含有し、前記第２液体が水と洗浄剤との水溶液を含む、請求項５に記載の蒸気式清掃機器。
【請求項１３】
前記第１液体および前記第２液体が同じ液体である、請求項１に記載の蒸気式清掃機器。
【請求項１４】
前記第１液体および前記第２液体が異なる液体である、請求項１に記載の蒸気式清掃機器。
【請求項１５】
床を清掃するための蒸気式清掃機器であって、
機器本体、
前記機器本体に取り付けられたハンドル、
第１液体を床に適用する液体アプリケータ、
蒸気を発生させる蒸気源、および
蒸気を前記床に適用する清掃ヘッド部を含み、
前記清掃ヘッド部を前記床の上で移動させるための前進および／または後退運動におけるハンドルの移動が、第２液体を前記蒸気源に送達するように液体送達システムを作動し、および蒸気式清掃機器がさらに、
前記蒸気源が蒸気を発生していないとき、前記蒸気源への前記第２液体の送達を阻止するように構成された制御器を含む、蒸気式清掃機器。
【請求項１６】
前記第１液体を保持する第１貯蔵器であって、前記液体アプリケータが連通する第１貯蔵器と、
前記第２液体を保持する第２貯蔵器であって、前記蒸気源が連通する第２貯蔵器と
をさらに含む、請求項１５に記載の蒸気式清掃機器。
【請求項１７】
前記ハンドルが前記機器本体に可動式に取り付けられ、
前記清掃ヘッド部を移動させるための前進および／または後退運動における前記ハンドルの移動の結果、前記清掃ヘッド部に対する前記ハンドルの移動がもたらされ、その移動が前記第１液体を前記第１貯蔵器から前記蒸気源へ送り込み、
前記制御器が前記清掃ヘッド部に対する前記ハンドルの移動を阻止する妨害物を含む、
請求項１６に記載の蒸気式清掃機器。
【請求項１８】
電気が前記蒸気源に送達されていないとき前記妨害物が妨害位置にある、請求項１７に記載の蒸気式清掃機器。
【請求項１９】
前記蒸気式機器に取外し可能に取付け可能な電気コードをさらに含み、前記電気コードが前記蒸気式機器に取り付けられていないとき前記妨害物が妨害位置にある、請求項１７に記載の蒸気式清掃機器。
【請求項２０】
前記蒸気式機器からの前記電気コードの取外しが、ソレノイドに前記妨害物を前記妨害位置へ移動させる、請求項１８に記載の蒸気式清掃機器。
【請求項２１】
前記清掃ヘッド部に対する前記ハンドルの移動が前記機器本体に対する前記ハンドルの移動である、請求項１７に記載の蒸気式清掃機器。
【請求項２２】
前記第１液体が前記第２液体と異なる、請求項１５に記載の蒸気式清掃機器。
【請求項２３】
前記第１液体が前記第２液体と同じである、請求項１５に記載の蒸気式清掃機器。
【請求項２４】
前記清掃ヘッド部に装着された蒸気透過性清掃パッドをさらに含み、前記清掃ヘッド部が前記パッドを通して蒸気を前記床に適用するように構成された、請求項１５に記載の蒸気式清掃機器。
【請求項２５】
蒸気式清掃機器を使用して床を清掃する方法であって、以下の行為：
（ａ）蒸気式機器に配置された液体アプリケータを使用して、洗浄剤を含む液体を、床のある領域に適用するステップと、
（ｂ）行為（ａ）が終了した後、前記清掃機器に取り付けられた蒸気透過性清掃パッドを通して蒸気を適用することによって、前記蒸気式機器を使用して前記床の前記領域に蒸気を適用するステップと、
（ｃ）前記床の前記領域全体に前記清掃パッドを滑らせるステップと
を含む、方法。
【請求項２６】
行為（ｂ）および（ｃ）が実質的に同時に起こり、実行される、請求項２５に記載の蒸気式清掃機器を使用して床を清掃する方法。
【請求項２７】
行為（ａ）が、前記蒸気式機器の清掃ヘッド部に装着された吹付ノズルを使用して前記床の前記領域に液体を吹き付けるステップを含む、請求項２５に記載の方法。
【請求項２８】
床を清掃するための蒸気式清掃機器であって
床と接触する清掃パッドを取り付けるように構成された清掃ヘッド部、
前記清掃ヘッド部を前記床の上で操作するために前記清掃ヘッド部に取り付けられた機器本体、
洗浄剤を含有する第１液体を保持する第１貯蔵器、
前記第１液体を前記床に送達するシステムの一部として前記第１貯蔵器と連通する第１導管、
前記第１液体と異なる第２液体を保持する第２貯蔵器、
前記第２液体から蒸気を発生させる蒸気源、および
前記蒸気源と連通し且つ蒸気を前記床に適用するように構成された蒸気出口、を含み、
前記第１導管および前記第１貯蔵器の少なくとも１つが、前記蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置される、蒸気式清掃機器。
【請求項２９】
前記第１導管が、前記蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置される、請求項２８に記載の蒸気式清掃機器。
【請求項３０】
前記第１導管が、前記蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置され、前記受け取られた熱は、前記第１液体が前記第１貯蔵器から前記床へ移送されるとき、前記第１貯蔵器中の液体の温度に対して少なくとも５°Ｆだけ前記第１液体の温度を上昇させるのに十分である、請求項２９に記載の蒸気式清掃機器。
【請求項３１】
前記受け取られた熱は、前記第１液体が前記第１貯蔵器から前記床へ移送されるとき、前記第１貯蔵器中の液体の温度に対して１０〜５０°Ｆだけ前記第１液体の温度を上昇させるのに十分である、請求項３０に記載の蒸気式清掃機器。
【請求項３２】
前記機器は、前記第１液体が前記床に適用される後まで前記第１液体が蒸気と混合しないように構成される、請求項２８に記載の蒸気式清掃機器。
【請求項３３】
前記第１貯蔵器および前記第２貯蔵器が同じ貯蔵器を含む、請求項２８に記載の蒸気式清掃機器。
【請求項３４】
前記第１貯蔵器および前記第２貯蔵器が異なる貯蔵器を含む、請求項２８に記載の蒸気式清掃機器。
【請求項３５】
前記第１液体および前記第２液体が同じ液体を含む、請求項２８に記載の蒸気式清掃機器。
【請求項３６】
前記第１液体および前記第２液体が異なる液体を含む、請求項２８に記載の蒸気式清掃機器。
【請求項３７】
前記細長い機器本体がハンドルを含む、請求項２８に記載の蒸気式清掃機器。
【請求項３８】
前記清掃パッドをさらに含み、前記清掃パッドが蒸気透過性パッドを含み、前記パッドは、前記清掃ヘッド部が蒸気を、前記パッドを通して前記床に適用するように構成されるように前記清掃ヘッド部に装着される、請求項２８に記載の蒸気式清掃機器。
【請求項３９】
前記清掃パッドが、少なくとも４インチだけ前記清掃ヘッド部の後縁を越えて後方に延在する延長部分を含む、請求項３８に記載の蒸気式清掃機器。
【請求項４０】
前記清掃は前記清掃ヘッド部の蒸気出口を覆って配置される大きな開口がない、請求項２８に記載の蒸気式清掃機器。
【考案の詳細な説明】
【技術分野】
【０００１】
関連出願の相互参照
本出願は、米国特許法第１１９条（ｅ）項の下、２０１２年１１月２９日に出願された米国仮特許出願第６１／７３１，４３７号（表題「STEAM CLEANING APPLIANCE」）に対する利益を主張し、前記仮特許出願は参照することにより全体的に本明細書に組み込まれる。本出願はまた、米国特許法第１１９条（ｅ）項の下、２０１３年３月１５日に出願された米国仮特許出願第６１／７９３，２７４号（表題「STEAM CLEANING APPLIANCE」）に対する優先権を主張し、前記仮特許出願は参照することにより全体的に本明細書に組み込まれる。
【０００２】
考案の分野
本考案は蒸気式清掃機器に関し、詳細には床を清掃する蒸気式機器に関する。
【背景技術】
【０００３】
関連技術の考察
蒸気式清掃機器は、蒸気を床に適用して清掃および消毒するために家庭で使用されている。様々な種類の蒸気式機器が知られており、その中にはスチームモップが含まれ、これは蒸気を床に適用し、また、塵および他の汚染物質を収集する吸収性清掃パッドを有する。一部のスチームモップは、蒸気透過性清掃パッドを介して床に蒸気を適用する。
【考案の概要】
【課題を解決するための手段】
【０００４】
概要
一実施形態によれば、床を清掃するための蒸気式清掃機器は、床と接触する蒸気透過性清掃パッドを取り付けるように構成された清掃ヘッド部と、清掃ヘッド部を床上で操作するために清掃ヘッド部に取り付けられた細長い機器本体と、第１液体を床に適用するように構成された液体アプリケータとを含む。機器はさらに、第２液体から蒸気を発生させる蒸気源と、蒸気源と連通し且つ清掃パッドを通して床に蒸気を適用するように構成された蒸気出口とを含み、蒸気出口は液体アプリケータから分離している。
【０００５】
別の実施形態によれば、床を清掃するための蒸気式清掃機器は、機器本体と、機器本体に取り付けられたハンドルと、第１液体を床に適用する液体アプリケータと、蒸気を発生させる蒸気源と、蒸気を床に適用する清掃ヘッド部とを含む。清掃ヘッド部を床上で移動させるための前進および／または後退運動におけるハンドルの移動が、第２液体を蒸気源に送達するように液体送達システムを作動する。機器はまた、蒸気源が蒸気を発生していないとき、蒸気源への第２液体の送達を阻止するように構成された制御器を含む。
【０００６】
さらなる実施形態によれば、蒸気式清掃機器を使用して床を清掃する方法は、（ａ）蒸気式機器に配置された液体アプリケータを使用して、洗浄剤を含む液体を、床のある領域に適用するステップと、（ｂ）行為（ａ）が終了した後、清掃機器に取り付けられた蒸気透過性清掃パッドを通して蒸気を適用することによって、蒸気式機器を使用して床のある領域に蒸気を適用するステップと、（ｃ）床のある領域全体に清掃パッドを滑らせるステップとを含む。
【０００７】
さらに別の実施形態によれば、床を清掃するための蒸気式清掃機器は、床と接触する清掃パッドを取り付けるように構成された清掃ヘッド部と、清掃ヘッド部を床上で操作するために清掃ヘッド部に取り付けられた細長い機器本体と、洗浄剤を含有する第１液体を保持する第１貯蔵器と、第１液体を床に送達するシステムの一部として第１貯蔵器と連通する第１導管と、第１液体と異なる第２液体を保持する第２貯蔵器と、第２液体から蒸気を発生させる蒸気源と、蒸気源と連通し且つ蒸気を床に適用するように構成された蒸気出口と、を含む。第１導管および第１貯蔵器の少なくとも１つが、蒸気発生ユニット、蒸気出口から放出される蒸気、および蒸気を蒸気発生ユニットから蒸気出口へ搬送する蒸気導管、のうちの少なくとも１つから、蒸気と混合する前、熱を受け取るように配置される。
【図面の簡単な説明】
【０００８】
【図１】本考案の一実施形態による蒸気式清掃機器の斜視図である。
【図２】本考案の一実施形態による蒸気式清掃機器の前面図である。
【図３】本考案の一実施形態による蒸気式清掃機器の側面図である。
【図４】本考案の一実施形態による液体加熱装置の斜視図である。
【図５】本考案の一実施形態による清掃ヘッドの下側図である。
【図６】本考案の一実施形態による液体移送器ロックの側面図である。
【図７】本考案の一実施形態による蒸気式清掃機器の後面図である。
【図８】本考案の一実施形態による擦り落としパッドを含む清掃ヘッドの斜視図である。
【図９】本考案の一実施形態による加熱要素を含む清掃ヘッドの底面図である。
【図１０】本考案の一実施形態による加熱要素を含む清掃ヘッドの底面図である。
【図１１】本考案の一実施形態によるパッドを含む清掃ヘッドの下側の概略図である。
【図１２】本考案の一実施形態による蒸気式清掃機器の斜視図である。
【図１３】本考案の一実施形態による蒸気式清掃機器の斜視図である。
【図１４】一実施形態による清掃ヘッドの底面図である。
【図１５】図１４の清掃ヘッドの側面図である。
【図１６】一実施形態による清掃フレームに取り付けられたパッドの底面図である。
【図１７】一実施形態による擦り落とし位置にある清掃ヘッドおよびパッドの側面図である。
【考案を実施するための形態】
【０００９】
詳細な記載
スチームモップなどの蒸気式清掃機器は、床および他の家庭内の表面を清掃且つ消毒するために使用されている。いくつかの知られているスチームモップは、蒸気を直接床の領域に適用し、パッドを使用して床の同じ領域を擦る、および／または汚染物を収集する、および／または水分を吸収する。いくつかの知られているスチームモップでは、蒸気は、塵および汚染物質を収集するために使用できる蒸気透過性パッドを介して床に適用される。なおもさらに知られているスチームモップでは、洗浄剤が蒸気に添加され、その後混合物を直接床に適用する。
【００１０】
本出願人らは、洗浄剤の適用と蒸気の適用とを分離することによって、従来のスチームモップと比較して様々な利点を実現できることを認識した。本明細書に開示される考案の実施形態は、蒸気と、洗浄剤を含有する液体とを別々の出口を介して床に適用する蒸気式機器および方法を含む。いくつかの実施形態では、洗浄剤を含有する液体は、蒸気適用領域から物理的に離れた床の領域に適用される。
【００１１】
いくつかの実施形態では、この分離は、蒸気が適用される前および／または清掃パッドが汚れを擦り落とすために使用される前、洗浄溶液が汚れまたは乾燥した食品のこぼれた部分に染み込み、デブリをほぐす時間を与える。場合によっては、使用者は洗浄溶液を汚れに吹き付け、続いて、蒸気を適用するおよび／または擦る前にどれぐらいの時間溶液を汚れに入り込ませるかを選択することができる。その後の清掃作業の前に洗浄溶液を汚れまたはこぼれた部分に染み込ませることによって、全体的な清掃時間および／または労力を低減することができる。同じく、使用する蒸気の量に対する汚れに適用する洗浄溶液の量も、本明細書に開示される実施形態において、使用者が選択可能である。例えば、使用者は、蒸気を汚れに適用する前、所望量の洗浄溶液を汚れに吹き付けることができる。さらに、多くの食品に基づく汚れが水溶性である一方で、他の種類の汚れ、例えば擦り傷は水溶性でない場合があり、そのような汚れは蒸気および洗浄溶液を使用すると洗浄が容易であり得る。
【００１２】
本明細書に開示される実施形態の別の利点は、蒸気透過性パッドを介して蒸気を適用する一方で洗浄溶液または他の洗浄剤を使用できる能力である。洗浄溶液が蒸気流に添加され、続いて蒸気透過性パッドに通されるとき、パッドは相当量の洗浄剤を吸収し得る。この吸収は、洗浄剤の効果を低下させる可能性があり、またパッドを湿らせる場合もあり、これは望ましくない可能性がある。
【００１３】
さらに、本明細書に開示される様々な実施形態は、洗浄溶液を、床に適用する前、蒸気との初期混合を必要とすることなく、加熱する。洗浄溶液を加熱することによって、溶液は、汚れまたはこぼれた部分の分解により速く作用することができ、それは蒸気の適用および／または物理的撹拌が始まる前、汚れに染み込むために許容されるのと同時でさえある。さらに、場合によっては、加熱された洗浄溶液は、蒸気の適用なしに使用可能である。すなわち、加熱された洗浄溶液は、床に適用した後、蒸気の適用なしに清掃パッドで撹拌および／または吸収可能である。使用者が判断する場合、それに続いて蒸気を使用する選択肢も使用者に利用可能である。
【００１４】
いくつかの実施形態では、洗浄溶液は、室温より上に加熱され得る、例えば３°Ｆだけ、５°Ｆだけ、１０〜１２°Ｆだけ、１０〜２０°Ｆだけ、２０〜５０°Ｆだけ、または他の任意の適切な量だけ、室温より上に加熱され得る。いくつかの実施形態では、洗浄溶液は、９０〜１００°Ｆ、１００〜１５０°Ｆまたは１５０〜２００°Ｆの温度まで加熱され得る。いくつかの実施形態では、蒸気は機器によって使用される蒸気の温度の５〜１０度以内、蒸気の温度の１０〜２０度以内、または蒸気の温度の２０〜５０度以内に加熱され得る。
【００１５】
いくつかの実施形態では、洗浄溶液は、蒸気によって直接または間接的に１つまたは複数の場所で加熱される導管を介して流される。従って、洗浄溶液を予備加熱する別個の加熱システムは、いくつかの実施形態では必要ない。
【００１６】
ここで図を参照すると、図１は蒸気式清掃機器１０を示し、蒸気式清掃機器１０は万能コネクタ１６によってモップヘッドなどの清掃ヘッド部１４に取り付けられた細長い機器本体１２を含む。機器本体１２はいくつかの実施形態ではハンドル１８、ポール２０、およびハウジング２２を含む。ハウジング２２の中には蒸気発生ユニット２４があり、蒸気発生ユニット２４は、清掃ヘッド部１４に取外し可能に取り付けられた蒸気透過性パッド２６に蒸気を送る。いくつかの実施形態では、パッドは、清掃ヘッド部１４に取外し可能に取付け可能な清掃シートであってもよい。清掃シートは取付け層３０によって清掃ヘッド部に取付け可能である。
【００１７】
図２に示されるように、ハウジング２２の正面側は、洗浄溶液などの第１の液体を保持する第１液体貯蔵器３２を含み得る。洗浄溶液は、石鹸、消毒剤、殺菌剤、封入剤、またはそれらの組合せであり得る。洗浄溶液はまた香気を含み得る。他の実施形態では、第１液体貯蔵器は水だけを保持し得る。液体貯蔵器３２はいくつかの実施形態では取外し可能であり得、他の実施形態では取外し不可能であり得る。いくつかの実施形態では、貯蔵器３２は、開口に注ぎ込むために充填カップを使用して第１液体または洗浄溶液で充填され得る。
【００１８】
洗浄溶液を床に適用するために、単独でまたは蒸気の適用と組み合わせて、使用者はハンドル１８に配置された吹付ボタン３４を押してもよい。吹付ボタン３４を押すと、電気ポンプが、第１液体貯蔵器３２内の洗浄溶液を、第１導管を介して、清掃ヘッド部１４に配置された液体アプリケータ３６に放出する。液体アプリケータ３６はいくつかの実施形態では水だけを適用し得ることを理解されたい。他の実施形態では、液体アプリケータ３６は、ハウジング２２、万能コネクタ１６または他の任意の適切な位置に配置可能である。さらに別の実施形態では、清掃ヘッド部は１つより多い液体アプリケータ３６を含み得る。例えば、液体アプリケータ３６は、清掃ヘッド部１４の両側に配置可能であり、またはいくつかの液体アプリケータを、清掃ヘッド部１４の前縁部に沿って、または清掃ヘッド部１４の上面に配置可能である。電気ポンプの代わりに、手動ポンプを使用して、液体を液体アプリケータ３６を介して移動してもよい。例えば、トリガまたは押しボタンがハンドル１８に含まれてもよく、トリガまたは押しボタンの起動が手動ポンプを作動し、液体を吹付ノズル、霧化器、液体出口管または他の任意の適切な液体アプリケータを介して押してもよい。
【００１９】
いくつかの実施形態では、蒸気および洗浄溶液の適用は、個々に制御可能である。さらに、いくつかの実施形態では、機器は、洗浄溶液だけを床に適用できるモードを有する。機器はまた、蒸気だけを床に適用できるモードを有する。
【００２０】
図３に示されるように、ハウジング２２の背面側は、蒸気発生ユニットに送達するための水を保持できる第２液体貯蔵器３８を含む。第２液体貯蔵器３８は示される実施形態では取外し不可能であるが、他の実施形態では取外し可能な貯蔵器を使用してもよい。いくつかの実施形態では、この水貯蔵器は、視認できる充填ライン４０を有する。いくつかの実施形態では、貯蔵器カップ４２またはフリップ式ドアが含まれてもよい。同じくこの図に示されているのは、万能コネクタ１６を通過する導管ジャケット４４であり、これは第１導管および第２導管を収容する。
【００２１】
万能コネクタ１６は、２つ以上の枢軸の周りでの枢転を可能にする。いくつかの実施形態では、第１枢軸は水平であり、第２枢軸は第１枢軸に対して垂直である（いくつかの実施形態では交差しないで垂直であり、いくつかの実施形態では交差して垂直である）。コネクタは、１つまたは複数の柔軟性または非柔軟性の導管が機器本体から清掃ヘッド部へ通過することを許容する内部容積を含み得る。いくつかの実施形態では、清掃ヘッド部は、機器本体から取外し可能であり、コネクタは、本体からの清掃ヘッド部の取外しを可能にする着脱可能な接続点を提供する。そのような実施形態では、コネクタはまた、清掃ヘッド部を本体から取り外しできるように１つまたは複数の液体導管を分離可能なコネクタを含み得る。
【００２２】
コネクタ他のそのいくつかの実施形態では万能コネクタを使用して清掃ヘッド部を機器本体に接続してもよい。例えば、いくつかの実施形態では、１つの枢軸を有するコネクタまたは１つの旋回軸を有するコネクタを使用してもよい。
【００２３】
いくつかの実施形態では、１つの貯蔵器が提供されてもよく、貯蔵器からの液体は、蒸気発生ユニットおよび液体アプリケータの両方に向けられてもよい。結果として、同じ液体が蒸気発生ユニット中でおよび液体アプリケータで使用されてもよい。いくつかの実施形態では、液体が１つの貯蔵器から液体アプリケータに移動するとき洗浄剤が液体に添加されてもよく、その結果、液体アプリケータに存在する液体は蒸気発生ユニットに到達する液体と異なるようにする。例えば、洗浄剤の貯蔵器は、液体が液体アプリケータに送達されるとき、洗浄剤を液体に分配してもよい。
【００２４】
蒸気を発生させるために、第２貯蔵器３８からの水が蒸気発生ユニット２４に送られる。いくつかの実施形態では、電気ポンプが水を第２貯蔵器３８から蒸気発生ユニット２４に送る。他の実施形態では、手動操作式ポンプを使用して水を貯蔵器から蒸気発生ユニットへ移動してもよい。そのような実施形態では、床を横切って清掃ヘッド部を移動させるように清掃機器を押すおよび／または引く間のハンドルの移動がポンプを作動するようにポンプは構成可能である。例えば、ポール２０が清掃ヘッド部１４に対して移動し、そうする際に、水を蒸気発生ユニット２４に送り込むように手動ポンプの構成要素を移動してもよい。いくつかの実施形態では、この相対移動は、ポール２０をハウジング２２に対して移動させることによって達成可能である。
【００２５】
いくつかの実施形態では、水は電動ポンプ（不図示）によって送り込むことができ、ポンプは、選択された蒸気レベルを作り出すように制御可能である。いくつかの実施形態では、蒸気式機器は、使用者によって選択可能な３つの蒸気レベルを有する。例えば、ポンプは、使用者によって選択されたスイッチ位置に基づいて、制御された量の水を蒸気発生ユニットに送り込んでもよい。いくつかの実施形態では、加熱されたボイラに水を送達する代わりに、蒸気発生ユニット２４は加圧されたボイラまたは他の任意の適切なボイラタイプを含んでもよい。加圧されたボイラは、選択されたレベルで蒸気を計量供給し得る。
【００２６】
代わりに、重力供給システムを使用してもよく、水の移送はピンチ弁または他の種類の弁で制御されてもよい。さらに、第２貯蔵器内の液体は、液体が添加剤または他の液体を含み得るので、必ずしも純水である必要はない。水を蒸気発生ユニットに移動するための可能な構成に関するさらなる詳細を以下でさらに考察する。
【００２７】
蒸気発生ユニット２４から、第２導管は蒸気を蒸気出口へ運び、蒸気出口が蒸気を蒸気透過性パッド２６の上面に向けて放出する。蒸気の一部またはすべてがパッドを透過し、床に適用される。いくつかの実施形態では、蒸気透過性パッド２６は、布が蒸気フレームを実質的に包み込む蒸気ポケットであってもよく、場合によっては複数の表面を提供し、それらから蒸気が発散可能である。
【００２８】
上で考察したように、床に適用する前に洗浄溶液を加熱することは、洗浄時間および／または労力を低減することができる。いくつかの実施形態では、洗浄溶液は、専用の加熱システムによって、例えば洗浄溶液を貯蔵器内にある間に加熱する電気抵抗ヒータによって加熱されてもよい。あるいは、インライン電気抵抗ヒータを使用して、液体が貯蔵器から液体アプリケータに移動するとき液体を加熱してもよい。
【００２９】
蒸気発生ユニットが発生する熱をうまく利用して、蒸気システムの構成要素に対する液体導管および／または貯蔵器の戦略的な位置付けによって洗浄溶液を加熱してもよい。洗浄溶液が含有されている間に洗浄溶液を加熱することによって、希釈されていない溶液を、洗浄されるべき領域に適用することができる。例えば、いくつかの実施形態では、および図４に示されるように、洗浄溶液を第１貯蔵器３２からポンプ４８を使用して液体アプリケータ３６に搬送する第１導管４６は、蒸気を蒸気発生ユニット２４から蒸気出口５２へ搬送する第２導管５０と一緒に断熱ジャケット４４内に含まれる。この実施形態では、第２導管５０中の蒸気からの熱が、導管を介した熱移動によって、第１導管４６中の洗浄溶液を加熱する。別の実施形態では、洗浄溶液を含む第１導管４６は、蒸気発生ユニット２４と接触してまたはその近くに配置され、またはユニットの一体部分を通して配置され、その結果、洗浄溶液は蒸気発生ユニット２４によって加熱される。いくつかの実施形態では、第１導管４６のすべてまたは一部は、可撓性チューブから作製される。他の適切な材料を使用して導管４６を形成してもよく、その中には様々な金属などの伝熱性材料が含まれる。導管４６は、単一材料から作製される１つの連続した導管でなくてもよく、代わりに多数の部分を含んでもよい。場合によっては、導管４６は、管としてもチューブとして成形されず、導管のさらに考えられた部分である構成要素を含んでもよい。
【００３０】
いくつかの実施形態では、図５に示されるように、第１導管４６は、蒸気出口５２の経路内で清掃ヘッド部１４の底面に配置され、その結果、蒸気出口５２から排出される蒸気が、第１導管４６を通って蒸気液体アプリケータ３６へ移動する洗浄溶液を加熱する。
【００３１】
いくつかの実施形態では、機器は、蒸気を床に適用できないモードを有してもよい。そのような実施形態では、機器は、このモードの間バッテリ駆動されてもよく、電気コードは機器から取り外されてもよい（または最初に取り付けられていなくてもよい）。電気コードは、使用者が蒸気洗浄を再開すると判断した場合、後で機器に取り付け直すことができる。いくつかの実施形態では、使用者が電気コードをコンセントから抜くか図６に示されるように電気コードコネクタ５４で電気コードを機器から取り外すと、制御器は自動的に蒸気の発生および／または適用を中断および／または不能にする。
【００３２】
洗浄溶液オンリーモードの間、機器本体１２のポール２０は、いくつかの実施形態に従い蒸気発生ユニット２４に水が移動しないように自動的にロックする。蒸気発生ユニット２４が蒸気を発生させる状態にないとき、ロック５６または他の妨害物が妨害位置に配置されてもよい。例えば、機器から電気コードを外すこと、または電気コードをコンセントから抜くことにより、ソレノイドが遮断され得、その結果、ピンがスロットの中に移動しハンドルの移動を防止する。いくつかの実施形態では、温度センサを使用して蒸気発生ユニットの温度を検出し、検出された温度が閾値温度未満の場合、ハンドルはロックされ得る。他の実施形態では、機器は蒸気オン／オフスイッチが設けられてもよく、蒸気オン／オフスイッチがオフ位置にある場合、ハンドルは移動をロックされる。ロック５６は使用者が蒸気洗浄の再開を決定すると解除することができる。いくつかの実施形態では、ハンドルは蒸気発生ユニット２４が停止されるとき自動的にロックしなくてもよい。代わりに、機器は、使用者がハンドル移動を防止するために係合する手動作動式ロックを含んでもよい。
【００３３】
いくつかの実施形態では、ポールは、ポールの開口を通って延びるプランジャによって本体に対してロックされてもよい。例えば、プランジャ５７は、内側に引かれるとハウジング２２に結合されてもよく、ポール２０はハウジングに対して上下に移動することを許容される。プランジャがポール２０の開口５９を通して外側に延在するとき、ポールはハウジングに対して移動することを防止される。プランジャは、蒸気システムが使用されないときポールをロックするために制御器および他の構成に応答するソレノイドによって移動されてもよい。例えば、マイクロスイッチが電気コード接続ユニットに存在してもよく、マイクロスイッチの状態は電気コードの存在に依存する。
【００３４】
プランジャは図６に示されるよう配置されてもよく、またはプランジャは電気コード接続ユニットから（ポールが直立姿勢にあるとき）水平に延在してもよい。
【００３５】
いくつかの実施形態では、プランジャの代わりに、ハウジングに対するポールの移動をロックするために、ロックピン又は他の装置がポールに挿入されてもよい。ロックピンは、電気コードの取外しを許容するように移動される必要のある装置と関連付けられてもよい。この様態において、装置が電気コードの取外しを許容するように移動されると、ロックピンは妨害位置に移動し、ポールの移動を防止する。
【００３６】
いくつかの実施形態では、貯蔵器３８から蒸気発生ユニット２４への水の送達は、本体または清掃ヘッド部に対するハンドルの移動よりもむしろ機器の移動に応答して実行される。例えば、プリセットされた移動のレベルまたは種類を検出するために、移動センサまたは加速度センサが、清掃ヘッド部、本体、ハンドルまたは他の適切な位置に含まれてもよい。続いて制御器が、作動するようにポンプに信号を送ってもよく、または水を蒸気発生ユニット２４に送達するために開放するように弁に信号を送ってもよい。そのような実施形態では、制御器はまた、蒸気機能が望まれていない、または蒸気発生ユニット２４が作動していない、または蒸気発生ユニット２４が蒸気を発生させるのに十分な温度でない、という信号を受け取ってもよく、制御器は、そのような状況下で蒸気発生ユニットに水を送達すると信号で伝えないように構成されてもよい。
【００３７】
本明細書に示される実施形態は、貯蔵器３８および蒸気発生ユニット２４を、機器の本体上に位置付けるが、これら構成要素の一部またはすべては、清掃ヘッド部１４上または内に、あるいは任意の適切な位置または場所に位置付けてもよい。
【００３８】
図７を参照すると、ハウジングの後面は、バッテリを保持するバッテリ区画５８を有し、バッテリは、使用者が電気コードを電気コードコネクタ５４から切り離すとき、洗浄溶液のポンプ４８に動力を供給する。バッテリはまた、ポールロックおよび／または蒸気式機器に含まれる何らかの制御器に動力を供給し得る。バッテリは充電式または使い捨てであり得る。
【００３９】
蒸気式清掃機器１０の使用者制御を向上させるために、すべり防止層６０がハンドル１８に含まれてもよい。またケーブル巻付け部６２がハンドル１８の後面に取り付けられてもよく、これにより、洗浄溶液オンリーモードの間、または使用後に蒸気式清掃機器１０を保管する間、使用者が電気コードを確保することが可能になる。別の実施形態では、ケーブル巻付け部は、ポール２０の後面に、またはハウジング２２の後面に取り付けてもよい。
【００４０】
上で考察したように、蒸気透過性パッド２６は、清掃ヘッド部に取外し可能に取付け可能である。蒸気透過性パッド２６はマイクロファイバ、タオル地、綿、ポリエステル、それらのいずれかの組合せ、または他の任意の適切な材料から作製可能である。蒸気透過性パッド２６はまた、蒸気透過性パッド２６が清掃ヘッド部１４に取り付けられているときその周囲を越えて延びるタブまたは部分を含んでもよく、それにより使用者がパッドの未使用部分にただ触れることによって蒸気式清掃機器からパッドを取り除くことが可能になる。例えば、使用者は、パッドを取り除くために、タブまたは他の延長部分を踏んで機器を引き上げることができる。あるいは、使用者は、機器を持ち上げ、自分の手でタブを掴み、パッドを取り除くことができる。他の実施形態では、パッド２６は清掃ヘッド部１４より大きい。
【００４１】
パッドは、清掃ヘッド部に装着されるとき清掃ヘッド部の後縁部を越えて後方に延びるように構成された延長部分を含み得る。このようにして、延長部分は、吹付けおよび／または蒸気処理によって残された水分を乾燥することを補助することができる。
【００４２】
いくつかの実施形態では、洗浄液だけが適用されているときに使用できるパッドとして清掃シート２８が提供される。例えば、吸収層を有するシートをいずれかの適切な方法で清掃ヘッド部１４に取付け可能である。シート２８は織布または不織布、あるいは他の適切な材料であり得る。材料はいずれかの適切な密度、例えば０．０１グラム／ｃｍ３〜０．２グラム／ｃｍ３の密度を有し得るが、どのような密度を使用してもよい。材料の密度はパッド全体で一定であり得る、またはパッドの厚さを通しておよび／またはパッドの幅および／または長さに沿って変わり得る。いくつかの実施形態では、洗浄液と一緒に使用するために使い捨てシートが提供されてもよい。洗濯可能および再利用可能シート、例えばマイクロファイバ製シートが提供されてもよい。
【００４３】
清掃シート２８は、蒸気が同様に適用されているときに使用可能である。清掃シート２６は蒸気透過性または蒸気不透過性であり得る。シートが不透過性である場合、蒸気がシートの縁部の周りで床に適用されることを許容するようにシートを清掃ヘッド部１４に対して寸法決めすることができる。１つのそのような実施形態では、図１１に示されるように、清掃ヘッド部１４の底側は結合材料６４を有し、結合材料６４に、使い捨て不透過性パッド上の対応する取付け層３０が取り付けられる。清掃ヘッド部１４はまた、この実施形態において、蒸気出口５２がパッド２８の縁部の外側に位置付けられるように構成されてもよい。一実施形態では、パッド２８の縁部と清掃ヘッド部１４の前部との間に間隙が設けられる。清掃ヘッド部およびパッドは、パッド２８の縁部と清掃ヘッド部１４との間の間隙が清掃ヘッド部１４の側部または清掃ヘッド部１４の後部にあるように構成されてもよい。いくつかの実施形態では、清掃シート２８は蒸気透過性であり且つパッド２８中に穴も開口もない。清掃シートはまた、パッド２８の縁部と清掃ヘッド部１４との間に間隙がない場合もあるが、いくつかの実施形態では、そのような間隙が存在する。吸収材と組み合わせた擦り落とし材料を含む様々なパッドを提供可能である。例えば、一片の研磨剤がパッドの床に面する側に含まれてもよく、ポリエステル、ポリプロピレンまたは他の適切な材料製であってもよい。
【００４４】
構造的安定性を提供するために裏打ち層がパッドに含まれてもよい。清掃ヘッド部１４の相補的フックアンドループ式結合材料６４に取り付けるためのフックアンドループ式結合材料を有する層などの取付け層が含まれてもよい。
【００４５】
頑固な汚れまたはこぼれた部分を清掃するために、使用者は、パッドと床の間の摩擦を増大するべく清掃を下に押すことを望むかもしれない。ハンドルとハウジングの間の位置に追加のハンドグリップ部分を提供することによって、使用者は、２つの手で機器を難なく掴み、余分な力を適用することができる。例えば、グリップ部分６６は、図７に示されているが、ポール２０上に配置されてもよい。グリップ部分６６は、発泡材料、ゴム、プラスチックまたは他の任意の適切な材料または材料の組合せで形成されてもよい。いくつかの実施形態では、グリップ部分の位置は、使用者が自分の身長および腕の長さにとって楽な位置にグリップ部分を配置できるように調整可能であってもよい。さらに、グリップ６６は、使用者の手を特定の向きで受けるように形成されてもよい。いくつかの実施形態では、グリップ６６は取外し可能であり、使用者は、異なるグリップ部分の組の中からどのグリップ部分を取り付けるかを選択してもよい。
【００４６】
頑固な汚れまたはこぼれた部分に対し、使用者はまた、図８に示されるように、清掃ヘッド部１４の液体アプリケータ３６の両側に配置された擦り落としパッド６８を使用してもよい。パッド６８は清掃ヘッド部１４に永久的に固定されてもよく、または清掃ヘッド部１４の相補的フックアンドループ式結合材料に取り付けられるフックアンドループ式結合材料を使用して取外し可能に取付け可能であってもよい。頑固な汚れをこれらパッド６８で清掃するために、使用者は清掃ヘッド部１４を反転させ、清掃機器を下に押し、パッドと床の間に摩擦を発生させてもよい。いくつかの実施形態では、擦り落としパッドは、清掃ヘッド部１４の前面６７の全部または一部に沿って配置してもよい。
【００４７】
別の実施形態では、清掃ヘッド部１４は、図９に示されるように清掃ヘッド部１４の底側に結合された加熱要素７０を含んでもよい。加熱要素７０は、清掃ヘッド部１４の温度ならびにパッドの温度を上昇させ、向上した清掃性能を提供することができる加熱要素であり得る。さらに、加熱要素７０からの熱は、清掃ヘッド部１４の片側または両側に提供されてもよい。
【００４８】
いくつかの実施形態では、加熱要素７０は約９０〜１３０Ｗの出力を提供可能であり得る。他の実施形態では、加熱要素７０は、約１３５〜１５０℃の作動温度を有し得る。略矩形として示されているが、加熱要素７０は複数の多角形状をとってもよく、それにはとりわけ円形または正方形が含まれる。加熱要素７０はまた、清掃ヘッド部１４の外側部分の周りに埋設されてもよい。
【００４９】
電力はコンセント７１を介して加熱要素７０に提供可能であり、万能コネクタ１６を通して送ることができる。加熱要素７０の電力はまた、バッテリ（不図示）によって提供されてもよい。清掃ヘッド部１４または蒸気式清掃機器１０はまた、蒸気式機器が静止している、すなわち使用されていないとき、加熱要素７０を動作停止するためにオン／オフトリガまたは運動センサを含み得る。別の実施形態では、使用者は、床面上のパッドの洗浄性能に依存して、必要に応じて加熱要素７０を手動で起動／停止し得る。
【００５０】
図１０を参照すると、別の実施形態による清掃ヘッド部１４の上からの眺めが示されている。この実施形態では、加熱要素７２が加熱プレートであり、これは接着剤または他の適切な結合材を使用して清掃ヘッド部１４に取付け可能である。いくつかの実施形態では、加熱要素７２は、ナット、ボルト、リベット、または別の適切な結合機構を含む代替結合機構を介して清掃ヘッド部１４の中に埋設されてもよい。他の実施形態では、加熱要素７２は清掃ヘッド部１４と一体的に形成可能であり、例えば清掃ヘッド部１４および加熱要素７２は、アルミニウム、銅、または別の適切な金属あるいは他の適切な材料などの同じ材料から作製可能である。
【００５１】
操作中、加熱要素７２からの熱が、汚れを床面からより簡単に除去することを可能にする。汚れと接触するパッドによってさらなる熱が運ばれてもよく、上昇した温度により汚れをより簡単に分解または床表面から剥がすことが可能になる。
【００５２】
これまでに記載された実施形態は、片側から蒸気を出す清掃ヘッド部を含んでいるが、実施形態は２つ以上の側から蒸気を出す清掃ヘッド部を含み得ることを認識すべきである。例えば、図１２に示されるような蒸気ポケットモップ７４を使用してもよい。そのような実施形態では（および前に記載した実施形態では）、液体アプリケータ（７６ａ、７６ｂ、７６ｃ）は、機器の１つまたは複数の位置に、例えば本体に、万能コネクタに、および／または清掃ヘッド部の正面を向く面に、配置可能である。この実施形態では３つの液体アプリケータが示されているが、いくつかの実施形態では１つだけまたは２つだけの液体アプリケータが提供されてもよく、または他の実施形態では３つを超えるアプリケータが提供されてもよい。
【００５３】
液体アプリケータが清掃ヘッド部の正面を向く側に配置される実施形態では、蒸気ポケット織物は、図１３に示されるように、液体アプリケータ７６ｃが織物によって覆われないように開口を有し得る。液体アプリケータ用の導管が、液体アプリケータから吐出される液体を加熱するシステムの一部として、清掃ヘッド部を通過し得る。両側蒸気式機器の他の適切な構成が同じく利用されてもよい。
【００５４】
図１４は、２つの異なる蒸気領域を有する清掃ヘッド部７９の底側を示す。低減された蒸気領域８０が清掃ヘッド部の後部に配置され、標準蒸気領域が清掃ヘッド部の前部に配置される。このようにして、清掃ヘッド部に装着されたパッドは、後部に沿ってより乾燥性であり得る。そのような構成は、パッドが床を横切った後に床に残される水分の量を制限または排除し得る。いくつかの実施形態では、低減された蒸気領域８０は蒸気を放出しない場合がある。使用者は、いくつかの実施形態において、蒸気領域８０が蒸気を放出するかどうかを選択するオプションを有し得る。
【００５５】
蒸気排出部８４が清掃ヘッド部の前部に配置されてもよく、およびさらなる排出部が清掃ヘッド部の他の縁部に配置されてもよい。蒸気排出部は蒸気を床に向けて方向付け得る。
【００５６】
図１５では、蒸気経路９０に沿って蒸気を清掃ヘッド部の前部に向ける蒸気拡散器８８が示されている。清掃ヘッド部の上の方の前部９２は、清掃ヘッド部の前部で蒸気を排出部に向けることを促すために湾曲されていてもよい。
【００５７】
パッド８９は、図１６に示されるように、清掃ヘッド部の後縁９１を越えて延在する後方延在領域９２を含み得る。延在領域９２は、吹付けおよび／または蒸気作業から残っている水分を吸収することができる。汚染物質を吸収し且つ拾い上げる追加表面領域を提供することによって、延在領域９２はパッドの寿命を延ばし、および／またはパッドクリーニング間の時間を延ばし得る。
【００５８】
図１７は、清掃ヘッド部が上方に枢転され、パッドが排出される一実施形態を示す。パッドの後方延在部分９２は床９４と接触したままである。使用者は、床の領域を擦るために延在部分９２を踏むことができる。
【００５９】
本明細書における目的のため、用語「床」は、堅木の床、リノリウム床、カーペットおよび清掃に適した他のいずれかの床表面など、多様な種類の床を含むことが意図される。本明細書に開示された実施形態の態様は、カウンター甲板、壁、天井、オーブンのカバー、または他の表面など、床以外の表面を清掃可能な清掃機器で利用されてもよいことは認識されよう。
【００６０】
本明細書における目的のため、用語「接続する」「接続された」「接続」「取り付ける」「取り付けられた」および「取付け」は、直接的な接続および取付け、非直接的な接続および取付け、および動作接続および取付けのことを指す。
【００６１】
このように本考案の少なくとも１つの実施形態のいくつかの態様を記載してきたが、様々な変更、修正および改良を当業者は簡単に思い付くことが認識される。そのような変更、修正および改良は、本開示の一部であることが意図され、また、本考案の趣旨および範囲内にあることが意図される。従って、前述の記載および図面は単なる例である。
【図１】
0003204586.tif 000003
【図２】
0003204586.tif 000004
【図３】
0003204586.tif 000005
【図４】
0003204586.tif 000006
【図５】
0003204586.tif 000007
【図６】
0003204586.tif 000008
【図７】
0003204586.tif 000009
【図８】
0003204586.tif 000010
【図９】
0003204586.tif 000011
【図１０】
0003204586.tif 000012
【図１１】
0003204586.tif 000013
【図１２】
0003204586.tif 000014
【図１３】
0003204586.tif 000015
【図１４】
0003204586.tif 000016
【図１５】
0003204586.tif 000017
【図１６】
0003204586.tif 000018
【図１７】
0003204586.tif 000019
【手続補正書】
【提出日】平成28年2月10日(2016.2.10)
【手続補正１】
【補正対象書類名】実用新案登録請求の範囲
【補正対象項目名】全文
【補正方法】変更
【補正の内容】
【実用新案登録請求の範囲】
【請求項１】
床を清掃するための蒸気式清掃機器であって、
床と接触する蒸気透過性清掃パッドを取り付けるように構成された清掃ヘッド部と、
前記清掃ヘッド部を前記床の上で操作するために前記清掃ヘッド部に取り付けられた細長い機器本体と、
第１液体を前記床に適用するように構成された液体アプリケータと、
第２液体から蒸気を発生させる蒸気源と、
前記蒸気源と連通し且つ前記清掃パッドを通して前記床に蒸気を適用するように構成された蒸気出口であって、前記液体アプリケータから分離している蒸気出口と
を含む、蒸気式清掃機器。
【請求項２】
前記蒸気出口および前記清掃ヘッド部は、前記清掃パッドが前記清掃ヘッド部に取り付けられているとき、前記蒸気出口から放出される蒸気が前記清掃パッドを透過して前記床に到達するように構成される、請求項１に記載の蒸気式清掃機器。
【請求項３】
前記清掃パッドをさらに含む、請求項１に記載の蒸気式清掃機器。
【請求項４】
前記清掃パッドが洗濯可能且つ再利用可能なパッドである、請求項３に記載の蒸気式清掃機器。
【請求項５】
前記第１液体を保持する第１貯蔵器および
前記第２液体を保持する第２貯蔵器をさらに含み、
前記液体アプリケータが前記第１液体を受け取るために前記第１貯蔵器と連通し、
前記蒸気源が前記第２液体を受け取るために前記第２貯蔵器と連通する、請求項１に記載の蒸気式清掃機器。
【請求項６】
前記液体アプリケータが吹付ノズルを含む、請求項５に記載の蒸気式清掃機器。
【請求項７】
前記吹付ノズルが前記清掃ヘッド部に配置される、請求項６に記載の蒸気式清掃機器。
【請求項８】
前記第１貯蔵器を前記液体アプリケータに接続する第１導管および
前記蒸気源を前記蒸気出口貯蔵器に接続する第２導管をさらに含み、
前記第２導管を通って流れる前記蒸気からの熱が、前記第１導管中に存在する前記第１液体を加熱する、請求項５に記載の蒸気式清掃機器。
【請求項９】
前記第１導管および前記第２導管が同じ導管ジャケット内に含まれる、請求項８に記載の蒸気式清掃機器。
【請求項１０】
前記機器本体を前記清掃ヘッド部に接続するコネクタをさらに含み、前記第１および第２導管が前記機器本体から前記清掃ヘッド部まで前記コネクタを通って延びる、請求項９に記載の蒸気式清掃機器。
【請求項１１】
前記機器が、前記第２液体を前記床に適用することなく蒸気を前記床に適用するように動作可能であり、
前記機器が、蒸気を前記床に適用することなく前記第２液体を前記床に適用するように動作可能である、請求項１に記載の蒸気式清掃機器。
【請求項１２】
前記第２貯蔵器が前記第２液体を含有し、前記第２液体が水と洗浄剤との水溶液を含む、請求項５に記載の蒸気式清掃機器。
【請求項１３】
前記第１液体および前記第２液体が同じ液体である、請求項１に記載の蒸気式清掃機器。
【請求項１４】
前記第１液体および前記第２液体が異なる液体である、請求項１に記載の蒸気式清掃機器。
【請求項１５】
床を清掃するための蒸気式清掃機器であって、
機器本体、
前記機器本体に取り付けられたハンドル、
第１液体を床に適用する液体アプリケータ、
蒸気を発生させる蒸気源、および
蒸気を前記床に適用する清掃ヘッド部を含み、
前記清掃ヘッド部を前記床の上で移動させるための前進および／または後退運動におけるハンドルの移動が、第２液体を前記蒸気源に送達するように液体送達システムを作動し、および蒸気式清掃機器がさらに、
前記蒸気源が蒸気を発生していないとき、前記蒸気源への前記第２液体の送達を阻止するように構成された制御器を含む、蒸気式清掃機器。
【請求項１６】
前記第１液体を保持する第１貯蔵器であって、前記液体アプリケータが連通する第１貯蔵器と、
前記第２液体を保持する第２貯蔵器であって、前記蒸気源が連通する第２貯蔵器と
をさらに含む、請求項１５に記載の蒸気式清掃機器。
【請求項１７】
前記ハンドルが前記機器本体に可動式に取り付けられ、
前記清掃ヘッド部を移動させるための前進および／または後退運動における前記ハンドルの移動の結果、前記清掃ヘッド部に対する前記ハンドルの移動がもたらされ、その移動が前記第１液体を前記第１貯蔵器から前記蒸気源へ送り込み、
前記制御器が前記清掃ヘッド部に対する前記ハンドルの移動を阻止する妨害物を含む、
請求項１６に記載の蒸気式清掃機器。
【請求項１８】
電気が前記蒸気源に送達されていないとき前記妨害物が妨害位置にある、請求項１７に記載の蒸気式清掃機器。
【請求項１９】
前記蒸気式機器に取外し可能に取付け可能な電気コードをさらに含み、前記電気コードが前記蒸気式機器に取り付けられていないとき前記妨害物が妨害位置にある、請求項１７に記載の蒸気式清掃機器。
【請求項２０】
前記蒸気式機器からの前記電気コードの取外しが、ソレノイドに前記妨害物を前記妨害位置へ移動させる、請求項１９に記載の蒸気式清掃機器。
【請求項２１】
前記清掃ヘッド部に対する前記ハンドルの移動が前記機器本体に対する前記ハンドルの移動である、請求項１７に記載の蒸気式清掃機器。
【請求項２２】
前記第１液体が前記第２液体と異なる、請求項１５に記載の蒸気式清掃機器。
【請求項２３】
前記第１液体が前記第２液体と同じである、請求項１５に記載の蒸気式清掃機器。
【請求項２４】
前記清掃ヘッド部に装着された蒸気透過性清掃パッドをさらに含み、前記清掃ヘッド部が前記パッドを通して蒸気を前記床に適用するように構成された、請求項１５に記載の蒸気式清掃機器。
【請求項２５】
床を清掃するための蒸気式清掃機器であって
床と接触する清掃パッドを取り付けるように構成された清掃ヘッド部、
前記清掃ヘッド部を前記床の上で操作するために前記清掃ヘッド部に取り付けられた機器本体、
洗浄剤を含有する第１液体を保持する第１貯蔵器、
前記第１液体を前記床に送達するシステムの一部として前記第１貯蔵器と連通する第１導管、
前記第１液体と異なる第２液体を保持する第２貯蔵器、
前記第２液体から蒸気を発生させる蒸気源、および
前記蒸気源と連通し且つ蒸気を前記床に適用するように構成された蒸気出口、を含み、
前記第１導管および前記第１貯蔵器の少なくとも１つが、蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置される、蒸気式清掃機器。
【請求項２６】
前記第１導管が、前記蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置される、請求項２５に記載の蒸気式清掃機器。
【請求項２７】
前記第１導管が、前記蒸気発生ユニット、前記蒸気出口から放出される蒸気、および蒸気を前記蒸気発生ユニットから前記蒸気出口へ搬送する蒸気導管、のうちの少なくとも１つから、蒸気と混合する前、熱を受け取るように配置され、前記受け取られた熱は、前記第１液体が前記第１貯蔵器から前記床へ移送されるとき、前記第１貯蔵器中の液体の温度に対して少なくとも５°Ｆだけ前記第１液体の温度を上昇させるのに十分である、請求項２６に記載の蒸気式清掃機器。
【請求項２８】
前記受け取られた熱は、前記第１液体が前記第１貯蔵器から前記床へ移送されるとき、前記第１貯蔵器中の液体の温度に対して１０〜５０°Ｆだけ前記第１液体の温度を上昇させるのに十分である、請求項２７に記載の蒸気式清掃機器。
【請求項２９】
前記機器は、前記第１液体が前記床に適用される後まで前記第１液体が蒸気と混合しないように構成される、請求項２５に記載の蒸気式清掃機器。
【請求項３０】
前記第１貯蔵器および前記第２貯蔵器が同じ貯蔵器を含む、請求項２５に記載の蒸気式清掃機器。
【請求項３１】
前記第１貯蔵器および前記第２貯蔵器が異なる貯蔵器を含む、請求項２５に記載の蒸気式清掃機器。
【請求項３２】
前記第１液体および前記第２液体が同じ液体を含む、請求項２５に記載の蒸気式清掃機器。
【請求項３３】
前記第１液体および前記第２液体が異なる液体を含む、請求項２５に記載の蒸気式清掃機器。
【請求項３４】
前記細長い機器本体がハンドルを含む、請求項２５に記載の蒸気式清掃機器。
【請求項３５】
前記清掃パッドをさらに含み、前記清掃パッドが蒸気透過性パッドを含み、前記パッドは、前記清掃ヘッド部が蒸気を、前記パッドを通して前記床に適用するように構成されるように前記清掃ヘッド部に装着される、請求項２５に記載の蒸気式清掃機器。
【請求項３６】
前記清掃パッドが、少なくとも４インチだけ前記清掃ヘッド部の後縁を越えて後方に延在する延長部分を含む、請求項３５に記載の蒸気式清掃機器。
【請求項３７】
前記清掃は前記清掃ヘッド部の蒸気出口を覆って配置される大きな開口がない、請求項２５に記載の蒸気式清掃機器。